(57)【要約】【課題】後ろに陳列する商品に対応して、前面側の構成やデザインを簡単に変更することのできる、アイキャッチ効果の高い商品陳列用トレイを提供する。【解決手段】商品陳列用トレイ１０は、商品を陳列するトレイ部１と、支持部２の上端から前方に延設された第１表示部３、および、表示部とこの表示部の左右両縁部から下方に垂下する延設部から内側に突出するピン状凸部とを有する複数の第２表示部４，５，６とを備え、これら第２表示部４，５，６は、各第２表示部の左右の各ピン状凸部４ｃ，５ｃ，６ｃを、第１表示部３の上面開口３ｂから溝３ｃ，３ｄに嵌め入れ、着脱可能に取り付けられる。【選択図】図２
2015228890.tif 000002
【特許請求の範囲】
【請求項１】
商品陳列棚の棚板の上に載置される商品陳列用トレイであって、上面に商品を整列させて並べるためのトレイ部と、上記トレイ部の前端部に立設された支持部から前方に延設された第１表示部と、板状の表示部とこの表示部の左右両縁部から下方に垂下する延設部の内側に突設されたピン状凸部とを有する第２表示部と、を備え、上記第１表示部の上面には、その左右両側に交換用開口がそれぞれ設けられ、同じくこの第１表示部の左右両側面には、上記交換用開口に連通し上下方向に延びる溝がそれぞれ設けられており、この左右の溝に、上記第２表示部の左右の各ピン状凸部が、交換用開口からそれぞれ嵌入されて、上記第２表示部が、第１表示部に対して着脱自在に取り付けられていることを特徴とする商品陳列用トレイ。
【請求項２】
上記第１表示部の左右の溝が、それぞれ、この第１表示部の上面に沿って前後に延設されて案内溝とされ、上記交換用開口から嵌入された第２表示部の左右の各ピン状凸部が、この案内溝に沿って前後にスライド可能になっている請求項１記載の商品陳列用トレイ。
【請求項３】
上記第１表示部または第２表示部に、商品テスター載置用の凹部が設けられている請求項１または２記載の商品陳列用トレイ。
【発明の詳細な説明】
【技術分野】
【０００１】
本発明は、商品陳列棚等に商品を陳列する際に、商品を棚板の上に整列させて載置するとともに、陳列した商品の前面に、商品名や価格，特徴等の商品情報を提示してアピールするための表示部またはテスター載置部を備える商品陳列用トレイに関するものである。
【背景技術】
【０００２】
化粧品販売店やドラッグストア等においては、店員に相談することなく、それを購入しようとする顧客自身が、店頭で化粧品や医薬品，生活用品等を自由に選択することができるように、大形の商品陳列用什器が列状に並べられている。この什器の棚板に並べられる化粧品等の商品パッケージは様々で、小さな箱形やブリスターパック等から、ボトル形，チューブ形，パウチ形等の中形の不定型パッケージにまで及ぶ。そこで、これらの商品を整列させて見栄えよく陳列するために、商品陳列用トレイが用いられている（特許文献１，２等を参照）。
【０００３】
図６は、従来の商品陳列用トレイの構成を示す図である。この商品陳列用トレイ４０は、図６（ａ）に示すように、商品を整列させて載置するためのトレイ部４１と、このトレイ部４１の前端縁部に立設された支持部４２と、この支持部４２の上端縁部から前方斜め下向きに延設された表示部４３と、から構成されており、図６（ｂ）のように、棚板上に複数個並べて配置される。
【０００４】
また、上記表示部４３の下部には、紙製カード等を保持するための折り返し部が設けられており、通常、この部位を利用して、トレイ部４１上に陳列された商品の商品名や価格を記載したＰＯＰカード等の商品情報が、顧客側となるトレイの前方に向けて提示される。
【先行技術文献】
【特許文献】
【０００５】
【特許文献１】特開２０００−２３７００１号公報
【特許文献２】特開２００１−０４６１９３号公報
【発明の概要】
【発明が解決しようとする課題】
【０００６】
しかしながら、上記のような従来の商品陳列用トレイは、トレイ部に陳列する商品を他の商品に入れ替えても、顧客に正対する前面側のデザインや見栄えを大胆に変えることができないため、顧客に対する印象やアピール度を向上させることが難しいという問題があった。また、新しい商品を陳列する際は、商品テスターを展示したり、他の陳列構成と差別化したりして、アイキャッチ効果を高めることが望まれているが、トレイ自体にそのような機能を付加するのは容易でない。
【０００７】
本発明は、このような事情に鑑みてなされたもので、後ろに陳列する商品に対応して、前面側の構成やデザインを簡単に変更することのできる、アイキャッチ効果の高い商品陳列用トレイの提供をその目的とする。
【課題を解決するための手段】
【０００８】
上記の目的を達成するため、本発明の商品陳列用トレイは、商品陳列棚の棚板の上に載置される商品陳列用トレイであって、上面に商品を整列させて並べるためのトレイ部と、上記トレイ部の前端部に立設された支持部から前方に延設された第１表示部と、板状の表示部とこの表示部の左右両縁部から下方に垂下する延設部の内側に突設されたピン状凸部とを有する第２表示部と、を備え、上記第１表示部の上面には、その左右両側に交換用開口がそれぞれ設けられ、同じくこの第１表示部の左右両側面には、上記交換用開口に連通し上下方向に延びる溝がそれぞれ設けられており、この左右の溝に、上記第２表示部の左右の各ピン状凸部が、交換用開口からそれぞれ嵌入されて、上記第２表示部が、第１表示部に対して着脱自在に取り付けられている商品陳列用トレイを第１の要旨とする。
【０００９】
また、本発明は、そのなかでも、上記第１表示部の左右の溝が、それぞれ、この第１表示部の上面に沿って前後に延設されて案内溝とされ、上記交換用開口から嵌入された第２表示部の左右の各ピン状凸部が、この案内溝に沿って前後にスライド可能になっている商品陳列用トレイを第２の要旨とする。
【００１０】
さらに、本発明は、そのなかでも特に、上記第１表示部または第２表示部に、商品テスター載置用の凹部が設けられている商品陳列用トレイを第３の要旨とする。
【発明の効果】
【００１１】
本発明の商品陳列用トレイによれば、第１表示部の上側に位置する第２表示部が、上記第１表示部に対して着脱自在に取り付けられているため、この第２表示部を、当初のものとは印象の異なるものに交換することにより、顧客に対面するトレイ前面側のデザインや見栄えを、簡単かつ大幅に変更することができる。したがって、本発明の商品陳列用トレイは、商品の品種等に対応した柔軟な運用が可能になるとともに、顧客に対する印象やアピール度を向上させることができる。
【００１２】
しかも、上記商品陳列用トレイは、上記第２表示部のみを単独で交換することが可能なため、後ろに載置する商品が変わった場合でも、基台となる第１表示部とトレイ部とを、そのまま使い続けることができる。したがって、本発明の商品陳列用トレイによれば、新しい商品に対応した、アイキャッチ効果の高い構成やデザインへの変更を、少ない更新費用で実現することができる。
【００１３】
また、上記商品陳列用トレイのなかでも、上記第１表示部の左右の溝が、それぞれ、この第１表示部の上面に沿って前後に延設されて案内溝とされ、上記交換用開口から嵌入された第２表示部の左右の各ピン状凸部が、この案内溝に沿った前後のスライド可能になっているものは、第１表示部の上に配置された第２表示部を、交換時に取り付けた位置だけでなく、上記第１表示部の前端側もしくは後端（奥端）側に、自由に移動させることができる。したがって、上記構成の商品陳列用トレイは、表示部により多くの商品情報を詳しく表示させたい場合や、その情報の一部を隠したい場合、あるいは、季節セールやタイムセール等、その商品表示を一時的に変えたい場合に、素早く柔軟に対応することができる。
【００１４】
さらに、本発明の商品陳列用トレイのなかでも、上記第１表示部または第２表示部の一方が、商品テスター載置用の凹部を有するテスター台となっているものは、トレイ部の中等に別途テスター用スペースを設ける必要がなく、商品陳列用トレイ前端の空きスペースを、有効に活用することができる。また、上記と同様、商品の品種等に対応した柔軟な運用が可能になるとともに、テスターを前面に押し出すことにより、顧客に対するアピールやアイキャッチ効果を、より高めることができる。
【図面の簡単な説明】
【００１５】
【図１】（ａ）は本発明の第１実施形態の商品陳列用トレイの分解斜視図であり、（ｂ），（ｃ）はその商品陳列用トレイにおいて第２表示部を前後にスライドさせた状態を示す説明図である。
【図２】上記第１実施形態の商品陳列用トレイに用いられる交換用第２表示部の例を示す説明図である。
【図３】（ａ）は本発明の第２実施形態の商品陳列用トレイの分解斜視図であり、（ｂ）はその商品陳列用トレイにおいて第２表示部を取り付けた状態を示す説明図である。
【図４】本発明の第３実施形態の商品陳列用トレイの構成を示す説明図である。
【図５】本発明の商品陳列用トレイを複数、陳列棚上に並べた状態を示す説明図である。
【図６】（ａ）従来の商品陳列用トレイ単体の斜視図であり、（ｂ）は陳列棚上に複数の商品陳列用トレイを並べた状態を示す説明図である。
【発明を実施するための形態】
【００１６】
つぎに、本発明の実施の形態を、図面にもとづいて詳しく説明する。ただし、本発明は、この実施の形態に限定されるものではない。
【００１７】
図１（ａ）は、本実施形態における商品陳列用トレイの構成を説明する図であり、図１（ｂ），（ｃ）は、この商品陳列用トレイの使用形態を説明する図である。なお、本実施形態では、上記商品陳列用什器の棚板における商品購入者（顧客）側を「前」側または「手前」（正面）側とし、棚板の基部側を「後」側または「奥」（背面）側と呼ぶ。また、「上下」は、棚板および商品陳列用トレイにおける上下をそのまま使用し、「左右」は、上記商品陳列用トレイに対峙する顧客の視点を基準とする。
【００１８】
本実施形態の商品陳列用トレイ１０の基本構成は、前記従来の商品陳列用トレイ（図６，符号４０参照）と同様、商品を陳列するためのトレイ部１と、このトレイ部１の前端から手前側に向けて突出する表示部（２，３，４）とから形成されている。そして、上記表示部は、トレイ部１からの前端に立設された支持部２と、支持部２から斜め前方下向きに延設された第１表示部３と、第１表示部３の上側にその傾斜に沿って配設された第２表示部４と、から構成され、この第２表示部４が、上記第１表示部３に対して着脱自在に取り付けられている。これが、本発明の大きな特徴である。
【００１９】
商品陳列用トレイ１０について、詳しく説明すると、上記商品陳列用トレイ１０は樹脂製で、棚板上に留置される側のトレイ部１とこれに連続する第１表示部３とは、トレイ部１前端の支持部２を介して一体に成形されている。なお、棚板の手前−奥方向のトレイ横幅は、陳列する商品に合わせて複数の所定規格幅〔例えば、Ｓ（５０ｍｍ幅），Ｍ（７５ｍｍ幅），Ｌ（９０ｍｍ幅）の３規格等〕があり、上記商品陳列用トレイ１０も、そのいずれかに設計されている。
【００２０】
上記トレイ部１は、上面に向けて開口する、断面コの字状の浅い箱形であり、商品を載置するための底部１ａと、その長手方向の縁部から立設された側部１ｂ，１ｂとからなる。また、各側部１ｂの内壁面には、仕切り板１１を設置するための仕切り板固定部となる、平行に形成された一対のリブ１ｃ，１ｃが、所定の間隔ごとに設けられている。なお、上記仕切り板１１には、その前側に陳列された商品を、顧客側の前方に押し出すためのばね部１１ａが設けられている。
【００２１】
上記トレイ部１と第１表示部３の間の支持部２は、トレイ部１の前端を上方に延設して設けられているもので、第２表示部４等の荷重を支承できるように、比較的厚めの板状となっている。そして、その上端部は、手前側にＬ字状に折り曲げられ、このＬ字状の先端部分に、第１表示部３が延設されている。
【００２２】
上記第１表示部３は、それ自身に貼り付け等されるシールやカード等のＰＯＰツールを用いた情報提示機能と、後記の第２表示部４の取付け基台としての機能を兼用するように設計されており、図１（ａ）に示すように、その上面３ａが、支持部２上端部位から手前方向に向かって、下向き傾斜状に形成されている。
【００２３】
また、第１表示部３の左右両側面となる、上面３ａの左右側縁部には、その縁部から下方に向かって垂下するフランジがそれぞれ設けられており、このフランジに、上記上面３ａに設けられた開口３ｂと連通する、上下方向に延びる縦溝３ｃが形成されている。さらに、この縦溝３ｃの手前側と奥側には、図１（ａ）のように、上面３ａの傾斜に沿って前後に延びる横溝３ｄ，３ｄが形成されている。なお、これら上面３ａの開口３ｂと、側面の縦溝３ｃおよび横溝３ｄ，３ｄの機能については後記で説明する。
【００２４】
つぎに、上記第１表示部３の上方に配設される第２表示部４は、比較的軽量な薄板状の表示板部４ａと、この表示板部４ａの奥側の左右両縁部から下方に向かって延設されたアーム４ｂ，４ｂと、からなる。これら各アーム４ｂ，４ｂの先端部位には、互いに内側に向けて突出するピン状凸部４ｃ，４ｃが、それぞれ形成されている。そして、上記第２表示部４は、これら各ピン状凸部４ｃを、それぞれ対応する第１表示部３の上面３ａの開口３ｂから、それに連通する縦溝３ｃに嵌め入れ、第１表示部３に取り付けられている〔図１（ｂ），（ｃ）を参照〕。
【００２５】
そして、上記第２表示部４は、図１（ｂ）のように、上記各ピン状凸部４ｃを、縦溝３ｃに連通する横溝３ｄの上側（奥側）までスライドさせ、第１表示部３の上に重なった状態（すなわち、第１表示部３を隠した状態）と、図１（ｃ）のように、上記各ピン状凸部４ｃを、縦溝３ｃに連通する下側（手前側）の横溝３ｄ方向にスライドさせ、第１表示部３を露出させた状態とを、目的に合わせて自由に選択することができる。勿論、これら２つの形態の間で、上記第２表示部４の位置を固定できるようにしてもよい。
【００２６】
また、第２表示部４は、上記のように交換容易であるため、期間限定のフェアやタイムセール等に合わせて、予め、交換用の第２表示部を用意しておいてもよい。例えば、図２に示すように、通常の大きな表示面を有する第２表示部４（図示中段）の他に、比較的小さな表示面で取り扱いの容易な第２表示部５（図示上段）や、商品テスター載置用の凹部６ｄを備える大形の第２表示部６（図示下段）等を準備しておけば、商品や広告表示形態に合わせて、上記第２表示部４を即座に交換することができる。なお、図中の符号５ｂ，６ｂは、表示板部５ａ，６ａから延設されたアームを、符号５ｃ，６ｃは、各アーム５ｂ，６ｂの先端部位に形成されたピン状凸部を示す。また、アーム６ｂは、アーム４ｂ，５ｂより長い形状に形成されている。
【００２７】
上記構成の本実施形態の商品陳列用トレイ１０によれば、図２のように、第１表示部３の上側に位置する第２表示部を、必要に応じて形状や機能の異なるもの（４，５，６等）に交換することにより、顧客に対面するトレイ前面側のデザインや見栄えを、簡単かつ大胆に変更することができる。したがって、本発明の商品陳列用トレイは、商品の品種等に対応した柔軟な運用が可能になるとともに、顧客に対する印象やアピール度を向上させることができる。
【００２８】
また、図１（ｃ）のように、第１表示部３上の第２表示部４をスライドさせ、この第２表示部４の下面側に隠れていた第１表示部３の上面３ａを顧客側に露出させたり、反対に、図１（ｂ）のように、第１表示部３の上面３ａ上の表示を隠したりすることもできる。したがって、本発明の商品陳列用トレイ１０は、上記第２表示部４のスライドにより、特売日やタイムセール等、日単位やあるいは時間単位での情報表示の切り替えに、容易に対応できる。
【００２９】
さらに、上記商品陳列用トレイ１０は、商品入れ替えや改装等に伴うリニューアル時においても、第１表示部３とトレイ部１とをそのまま用いて、上記第２表示部だけを形状やタイプが新しいものや、商品テスターを載置可能なものに交換することにより、その交換にかかる費用を最小限に抑えながら、広告イメージや商品情報表示を、より印象の強い新しいものに変更することができる。
【００３０】
図３（ａ），（ｂ）は、上記商品陳列用トレイの他の例である第２実施形態の商品陳列用トレイ２０の構成を説明する図である。この図における商品陳列用トレイ２０が、第１実施形態の商品陳列用トレイ（１０）と異なる点は、第１表示部３の上面３ａに、側面の縦溝３ｃと連通する上面開口（３ｂ）を蓋する、幅広の蓋部材７が配設されている点である。また、第１表示部３に取り付けられる第２表示部として、その上面〔下側にスライドさせた後の図３（ｂ）の状態では前面〕がカード等を挟み込めるように二重構造になった第２表示部８が用いられている。それ以外の構成は、第１実施形態と同様である。
【００３１】
詳しく説明すると、第１表示部３の上面３ａには、第２表示部８の各ピン状凸部８ｃを嵌め入れるための、幅広の開口３ｂが設けられており、この開口３ｂに連通して、上下方向に延びる縦溝３ｃが形成されている。なお、この縦溝３ｃの手前側と奥側には、前記と同様、上面３ａの傾斜に沿って前後に延びる横溝３ｄ，３ｄが形成されている。また、上記幅広の開口３ｂの前後には、蓋部材７を嵌め入れた際にこの蓋部材７と上面３ａとを面一とするための段差が設けられている。
【００３２】
そして、図３（ｂ）のように、上記第２表示部８の各ピン状凸部８ｃを、第１表示部３の上面３ａの開口３ｂから縦溝３ｃに嵌め入れ、第１表示部３に取り付けるとともに、この開口３ｂに、上記蓋部材７を嵌め入れる。これにより、第１表示部３の上面３ａの表示スペースと見栄えを維持したまま、第２表示部８のを交換自在とすることができる。また、上記構成によれば、商品陳列用什器のおける下の棚板（図示せず）の陳列の邪魔になることなく、下の棚板との間の空間を、効果的な広告表示スペースとして利用することができる。
【００３３】
つぎに、図４は、本発明の第３実施形態の商品陳列用トレイ３０の構成を説明する図である。この図における商品陳列用トレイ３０が、第１，第２実施形態の商品陳列用トレイ（１０，２０）と異なる点は、第１表示部３の上面３ａに、直接、商品テスター載置用の凹部３ｅが形成されている点である。また、第１表示部３に取り付けられる第２表示部として、この凹部３ｅを覆うカバーを兼用する第２表示部９が用いられている。なお、それ以外の構成は、第１実施形態と同様であり、符号９ａは第２表示部９の上面、９ｂはアーム、９ｃはピン状凸部である。
【００３４】
この構成によれば、第２表示部９を用いずとも、第１表示部３の凹部３ｅに直接、商品テスターを展示することができる。また、商品テスターが不要な場合は、上記第２表示部９を使用して、情報表示面積を増やすことができる。勿論、商品テスターを載置する場合でも、第２表示部９やその他の第２表示部を、図１（ｃ）のように、第１表示部３の前側（手前側）にスライドさせて使用してもよい。
【００３５】
そして、図５は、上記第１〜第３実施形態における各種の商品陳列用トレイを組み合わせて構成した例を示す図である。なお、図５における左端の商品陳列用トレイ２０の支持部２と仕切り板１１との間のスペース（トレイ部１の底部１ａ上）は、商品テスターの載置用スペースとして利用することができる。これらのように、本発明の商品陳列用トレイは、種々の構成を自由に組み合わせて陳列構成とすることができる。また、トレイを組み合わせて構成した場合でも、広い情報表示スペースと商品テスターの載置用スペースとを混在させた、より印象的な広告を展開することができる。
【産業上の利用可能性】
【００３６】
本発明の商品陳列用トレイは、化粧品や医薬品等を陳列する陳列棚や陳列台等の棚板の上に載置され、それを購入しようとする顧客により近い場所で、商品テスターやこれら商品に関する多くの情報を提供する用途に適する。
【符号の説明】
【００３７】
１  トレイ部
２  支持部
３  第１表示部
３ｂ  開口
３ｃ  縦溝
３ｄ  横溝
４，５，６  第２表示部
４ｃ，５ｃ，６ｃ  ピン状凸部
１０  商品陳列用トレイ
【図１】
2015228890.tif 000003
【図２】
2015228890.tif 000004
【図３】
2015228890.tif 000005
【図４】
2015228890.tif 000006
【図５】
2015228890.tif 000007
【図６】
2015228890.tif 000008